【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
プロセス制御プラントの図形的描写内でナビゲートするためのナビゲーションペインを提供するためのコンピューティングデバイスにおける方法であって、
固定及び制限された領域内に、ユニット選択領域及び機器選択領域を含む前記ナビゲーションペインを表示することであって、（ｉ）前記ユニット選択領域は、前記プロセス制御プラントの前記図形的描写の中の１つ以上のユニットに対応し、かつ前記プロセス制御プラントの中の１つ以上のユニットに対応する１つ以上のユニットセレクタアイコンを含み、（ｉｉ）前記機器選択領域は、前記プロセス制御プラントの前記図形的描写の中の１つ以上の機器に対応し、かつ前記プロセス制御プラントの中の１つ以上の機器項目に対応する１つ以上の機器セレクタアイコンを含み、（ｉｉｉ）前記プロセス制御プラントの中の各ユニットは、前記プロセス制御プラントの中に１つ以上の機器を含み、（ｉｖ）各ユニットセレクタアイコンは、前記ユニットセレクタアイコンに対応する前記ユニットと関連付けられた前記プロセス制御プラントの中に含まれた前記１つ以上の機器に基づいて、１つ以上の機器項目セレクタアイコンと関連付けられる、表示することと、
前記プロセス制御プラントの中の前記対応する１つ以上のユニットに基づいて、前記１つ以上のユニットセレクタアイコンを前記ユニット選択領域の中に表示することと、
第１のユニットセレクタアイコンの選択の受信に応答して、
前記選択された第１のユニットセレクタアイコンに対応する前記プロセス制御プラントの中の第１のユニットと関連付けられた前記機器選択領域の中の１つ以上の機器セレクタアイコンを表示することであって、（ｉ）前記選択された第１のユニットセレクタアイコンと関連付けられた前記１つ以上の機器セレクタアイコンは、前記機器選択領域内に表示され、（ｉｉ）前記１つ以上の非選択のユニットセレクタアイコンは、前記ユニット選択領域の中に表示されたままである、表示することと、
前記第１のユニットセレクタアイコンに対応する前記プロセス制御プラントの前記図形的描写の中の１つ以上の機器を表示することと、を含む、ナビゲーションペインを提供する方法。
【請求項２】
前記１つ以上のユニットセレクタアイコンを表示することは、前記対応する１つ以上のユニットセレクタアイコンと関連付けられた１つ以上の集計警報識別子を表示することを含み、各集計警報識別子は、前記ユニットセレクタアイコンと関連付けられた前記プロセス制御プラントの前記図形的描写の中の前記１つ以上の機器から集計された警報情報を表示することを含む、請求項１に記載のナビゲーションペインを提供する方法。
【請求項３】
前記１つ以上の機器セレクタアイコンを表示することは、１つ以上の機器セレクタアイコンに対応する１つ以上の警報識別子を表示することを含み、各警報識別子は、前記プロセス制御プラントの前記図形的描写の中の前記対応する機器と関連付けられた警報情報を表示する、請求項１または２に記載のナビゲーションペインを提供する方法。
【請求項４】
警報情報を表示することは、前記プロセス制御プラントの前記図形的描写の中の前記対応する機器と関連付けられた多数の警報と、前記プロセス制御プラントの前記図形的描写の中の前記対応する機器と関連付けられた１つ以上の種類の警報と、を表示すること含む、請求項２または３に記載のナビゲーションペインを提供する方法。
【請求項５】
前記第１のユニットセレクタアイコンの前記選択の受信に応答して、前記プロセス制御プラントの前記図形的描写内の前記第１のユニットを強調表示することを更に含み、前記第１のユニットセレクタアイコンの前記選択の受信は、前記第１のユニットセレクタアイコンと関連付けられたホバーイベントを、ユーザインターフェースを介して検出することを含む、請求項１〜4のいずれか１項に記載のナビゲーションペインを提供する方法。
【請求項６】
前記第１のユニットセレクタアイコンの前記選択の受信は、前記選択を、ユーザインターフェースからコマンドを介して受信することを含む、請求項１〜５のいずれか１項に記載のナビゲーションペインを提供する方法。
【請求項７】
前記第１のユニットセレクタアイコンの前記選択の受信に応答して、前記選択された第１のユニットセレクタアイコンに対応する前記プロセス制御プラントの中の前記第１のユニットと関連付けられた前記プロセス制御プラントの前記図形的描写のサブセクションを表示することを更に含む、請求項１〜６のいずれか１項に記載のナビゲーションペインを提供する方法。
【請求項８】
第１の機器セレクタアイコンの前記選択の受信に応答して、前記プロセス制御プラントの前記図形的描写の中の前記第１の機器セレクタアイコンを強調表示することを更に含み、前記第１の機器セレクタアイコンの前記選択の受信は、ホバーイベントを、ユーザインターフェースを介して前記第１の機器セレクタアイコンで検出することを含む、請求項１〜７のいずれか１項に記載のナビゲーションペインを提供する方法。
【請求項９】
第１の機器セレクタアイコンの前記選択の受信は、前記選択を、ユーザインターフェースからコマンドを介して受信することを含む、請求項８に記載のナビゲーションペインを提供する方法。
【請求項１０】
第１の機器セレクタアイコンの前記選択の受信に応答して、前記選択された第１の機器セレクタアイコンに対応する前記プロセス制御プラントの中の前記第１のユニットの前記第１の機器セレクタアイコンと関連付けられた前記プロセス制御プラントの前記図形的描写のサブセクションを表示することを更に含む、請求項８または９に記載のナビゲーションペインを提供する方法。
【請求項１１】
第２のユニットセレクタアイコンの選択の受信に応答して、前記選択された第２のユニットセレクタアイコンに対応する前記プロセス制御プラントの中の第２のユニットと関連付けられた前記プロセス制御プラントの前記図形的描写の中の機器に対応する１つ以上の機器セレクタアイコンを表示することを更に含み、前記選択された第２のユニットセレクタアイコンと関連付けられた前記１つ以上の機器セレクタアイコンは、前記機器選択領域内に表示され、前記１つ以上の非選択のユニットセレクタアイコンは、前記ユニット選択領域内に表示されたままである、請求項１〜１０のいずれか１項に記載のナビゲーションペインを提供する方法。
【請求項１２】
プロセス制御プラントの図形的描写内でナビゲートするためのナビゲーションペインを、ユーザインターフェースを有するコンピューティングデバイスを介して提供するための、プロセッサにより実行可能な一組の命令を記憶したコンピュータ可読記憶媒体であって、前記命令は、
固定及び制限された領域内に、ユニット選択領域及び機器選択領域を含む前記ナビゲーションペインを表示するための命令であって、（ｉ）前記ユニット選択領域は、前記プロセス制御プラントの前記図形的描写の中の１つ以上のユニットに対応し、かつ前記プロセス制御プラントの中の１つ以上のユニットに対応する１つ以上のユニットセレクタアイコンを含み、（ｉｉ）前記機器選択領域は、前記プロセス制御プラントの前記図形的描写の中の１つ以上の機器に対応し、かつ前記プロセス制御プラントの中の１つ以上の機器項目に対応する１つ以上の機器セレクタアイコンを含み、（ｉｉｉ）前記プロセス制御プラントの中の各ユニットは、前記プロセス制御プラントの中に１つ以上の機器を含み、（ｉｖ）各ユニットセレクタアイコンは、前記ユニットセレクタアイコンに対応する前記ユニットと関連付けられた前記プロセス制御プラントの中に含まれた前記１つ以上の機器に基づいて、１つ以上の機器項目セレクタアイコンと関連付けられる、表示するための命令と、
前記プロセス制御プラントの中の前記対応する１つ以上のユニットに基づいて、前記１つ以上のユニットセレクタアイコンを前記ユニット選択領域の中に表示するための命令と、
第１のユニットセレクタアイコンの選択の受信に応答して、
前記選択された第１のユニットセレクタアイコンに対応する前記プロセス制御プラントの中の第１のユニットと関連付けられた前記機器選択領域の中の１つ以上の機器セレクタアイコンを表示するための命令であって、（ｉ）前記選択された第１のユニットセレクタアイコンと関連付けられた前記１つ以上の機器セレクタアイコンは、前記機器選択領域の中に表示され、（ｉｉ）前記１つ以上の非選択のユニットセレクタアイコンは、前記ユニット選択領域の中に表示されたままである、表示するための命令と、
前記第１のユニットセレクタアイコンに対応する前記プロセス制御プラントの前記図形的描写の中の１つ以上の機器を表示するための命令と、を含む、コンピュータ可読記憶媒体。
【請求項１３】
前記１つ以上のユニットセレクタアイコンを表示するための命令は、前記対応する１つ以上のユニットセレクタアイコンと関連付けられた１つ以上の集計警報識別子を表示するための命令を含み、各集計警報識別子は、前記ユニットセレクタアイコンと関連付けられた前記プロセス制御プラントの前記図形的描写の中の前記１つ以上の機器から集計された警報情報を表示する、請求項１２に記載のコンピュータ可読記憶媒体。
【請求項１４】
前記１つ以上の機器セレクタアイコンを表示するための命令は、１つ以上の機器セレクタアイコンに対応する１つ以上の警報識別子を表示するための命令を含み、各警報識別子は、前記プロセス制御プラントの前記図形的描写の中の前記対応する機器と関連付けられた警報情報を表示する、請求項１２または１３に記載のコンピュータ可読記憶媒体。
【請求項１５】
警報情報を表示するための命令は、前記プロセス制御プラントの前記図形的描写の中の前記対応する機器と関連付けられた多数の警報と、前記プロセス制御プラントの前記図形的描写の中の前記対応する機器と関連付けられた１つ以上の種類の警報と、を表示するための命令を含む、請求項１４に記載のコンピュータ可読記憶媒体。
【請求項１６】
前記第１のユニットセレクタアイコンの前記選択の受信に応答して、前記プロセス制御プラントの前記図形的描写の中の前記第１のユニットを強調表示するための命令を更に含み、前記第１のユニットセレクタアイコンの前記選択を受信するための前記命令は、前記第１のユニットセレクタアイコンと関連付けられたホバーイベントを、ユーザインターフェースを介して検出することを含む、請求項１２〜１５のいずれか１項に記載のコンピュータ可読記憶媒体。
【請求項１７】
前記第１のユニットセレクタアイコンの前記選択を受信するための命令は、前記選択を、ユーザインターフェースからコマンドを介して受信するための命令を含む、請求項１２〜１６のいずれか１項に記載のコンピュータ可読記憶媒体。
【請求項１８】
前記第１のユニットセレクタアイコンの前記選択の受信に応答して、前記選択された第１のユニットセレクタアイコンに対応する前記プロセス制御プラントの中の前記第１のユニットと関連付けられた前記プロセス制御プラントの前記図形的描写のサブセクションを表示するための命令を更に含む、請求項１２〜１７のいずれか１項に記載のコンピュータ可読記憶媒体。
【請求項１９】
第１の機器セレクタアイコンの前記選択の受信に応答して、前記プロセス制御プラントの前記図形的描写の中の前記第１の機器セレクタアイコンを強調表示するための命令を更に含み、前記第１の機器セレクタアイコンの前記選択の受信は、ホバーイベントを、前記第１の機器セレクタアイコンでユーザインターフェースを介して検出することを含む、請求項１２〜１８のいずれか１項に記載のコンピュータ可読記憶媒体。
【請求項２０】
第１の機器セレクタアイコンの前記選択を受信するための命令は、前記選択を、ユーザインターフェースからコマンドを介して受信するための命令を含む、請求項１９に記載のコンピュータ可読記憶媒体。
【請求項２１】
第１の機器セレクタアイコンの前記選択の受信に応答して、前記選択された第１の機器セレクタアイコンに対応する前記プロセス制御プラントの中の前記第１のユニットの前記第１の機器セレクタアイコンと関連付けられた前記プロセス制御プラントの前記図形的描写のサブセクションを表示するための命令を更に含む、請求項１９または２０に記載のコンピュータ可読記憶媒体。
【請求項２２】
第２のユニットセレクタ  アイコンの選択の受信に応答して、前記選択された第２のユニットセレクタアイコンに対応する前記プロセス制御プラントの中の第２のユニットと関連付けられた前記プロセス制御プラントの前記図形的描写の中の機器に対応する１つ以上の機器セレクタアイコンを表示するための命令を更に含み、前記選択された第２のユニットセレクタアイコンと関連付けられた前記１つ以上の機器セレクタアイコンは、前記機器選択領域内に表示され、前記１つ以上の非選択のユニットセレクタアイコンは、前記ユニット選択領域内に表示されたままである、請求項１２〜２１のいずれか１項に記載のコンピュータ可読記憶媒体。